(57)【要約】【課題】無端帯状の帯鋸刃のテンションを調整可能なテンション調整機構を備えた携帯用バンドソーにおいて、その使用状態におけるテンション調整機構の動作不良を防止すること。【解決手段】無端帯状の帯鋸刃のテンションを調整可能なテンション調整機構１００を備えた携帯用バンドソーにおいて、一対のホイール支持部２１ａ（１１０）のそれぞれに、互いに平行となるようにホイール支持軸２１ｂを設けている。一方のホイール支持部２１ａ（１１０）は、双方のホイール支持軸２１ｂに直交する直線の方向に可動であり、ホイール支持部２１ａ（１１０）の、一の端部に第一支持部１２１を設け、他の端部に第二支持部１３１を設け、第一支持部１２１と第二支持部１３１の間に中間支持部１４０を設けている。第二支持部１３１と中間支持部１４０はホイール支持軸２１ｂに平行であり、かつ、互いに反対の方向に荷重Ｆ１、Ｆ２がかかるようになっている。【選択図】図１１
2020001130.tif 000002
【特許請求の範囲】
【請求項１】
無端帯状の帯鋸刃のテンションを調整可能なテンション調整機構を備えた携帯用バンドソーであって、
一対のホイール支持部のそれぞれに、互いに平行となるようにホイール支持軸を設け、前記一方のホイール支持部は、前記双方のホイール支持軸に直交する直線の方向に可動であり、当該ホイール支持部の、一の端部に第一支持部を設け、他の端部に第二支持部を設け、前記第一支持部と前記第二支持部の間に中間支持部を設けて、前記第二支持部と前記中間支持部は前記ホイール支持軸に平行であり、かつ、互いに反対の方向に荷重がかかるようになっている携帯用バンドソー。
【請求項２】
請求項１に記載の携帯用バンドソーであって、
前記中間支持部は、前記第一支持部と前記ホイール支持軸の間に設けられている携帯用バンドソー。
【請求項３】
請求項１〜２のいずれかに記載の携帯用バンドソーであって、
前記中間支持部は、平面視で可動方向に直交する方向に延在し、前記ホイール支持部に対して線当たりする柱形状となっている携帯用バンドソー。
【請求項４】
請求項３に記載の携帯用バンドソーであって、
前記中間支持部は、円柱形状となっている携帯用バンドソー。
【請求項５】
請求項１〜４のいずれかに記載の携帯用バンドソーであって、
前記第二支持部は、荷重を微調整できる微調整機構を兼ねている携帯用バンドソー。
【請求項６】
請求項５に記載の携帯用バンドソーであって、
前記第二支持部は、ネジになっており、前記ネジを回転させることで微調整可能になっている携帯用バンドソー。
【請求項７】
請求項１〜６のいずれかに記載の携帯用バンドソーであって、
前記ホイール支持部の近傍には、可動方向の動きを抑えるガイド部材が設けられている携帯用バンドソー。
【請求項８】
請求項７に記載の携帯用バンドソーであって、
前記ガイド部材は、前記ホイール支持部を挟んで対向するリブである携帯用バンドソー。
【発明の詳細な説明】
【技術分野】
【０００１】
本発明は、携帯用バンドソーに関し、詳しくは、無端帯状の帯鋸刃のテンションを調整可能なテンション調整機構を備えた携帯用バンドソーに関する。
【背景技術】
【０００２】
従来、切断材（木材、金属等）を切断可能な各種の電動工具が既に知られている。ここで、下記特許文献１には、電動工具において、無端帯状の帯鋸刃を周回させることにより切断材を切断可能な携帯用バンドソーが開示されている。これにより、例えば、切断機等と比較すると、刃の流れる速度が比較的遅いため、切断によって発生する火花の飛散や切断音を抑えることができる。このような携帯用バンドソー２１０には、無端帯状の帯鋸刃２１５に対してテンションを作用させるためのスライドプレート３１０を備えたテンション調整機構３００が備えられている（図１２〜１４参照）。そのため、このスライドプレート３１０は、その四隅に形成された各長孔３１１が前ハウジング部２２１に組み付けられたスリーブ３１３に案内される格好でスライド可能な構成となっており、回動させたレバー３５０によって撓ませられた圧縮ばね３６０によって外方へ向けて付勢された状態でスライドされている（図１５〜１６参照）。したがって、無端帯状の帯鋸刃２１５に対してテンションを作用させることができる。
【先行技術文献】
【特許文献】
【０００３】
【特許文献１】特開２０１６−１４７３３９号公報
【発明の概要】
【発明が解決しようとする課題】
【０００４】
しかしながら、上述した携帯用バンドソー２１０は、スライドプレート３１０に弾性変形が生じうるが、スライドプレート３１０上の四隅に長孔３１１があいているため、許容以上に撓む場合があり、剛性について改善の余地があった（図１７参照）。また、帯鋸刃２１５によるテンション（内方への力）と圧縮ばね３６０による外方への力が、平行かつ反対方向でずれていることによる回転力が生じ、その回転力を受ける箇所がスリーブ３１３やワッシャー３１２ａと長孔３１１との接点など、多くの位置に発生することで、スライドプレート３１０に複雑な曲げ力が生じていた。そして、その曲げ力によって、スライドプレート３１０が複雑に弾性変形し、動作不良が生じることがあった。
【０００５】
本発明は、このような事情に鑑みなされたものであって、本発明が解決しようとする課題は、無端帯状の帯鋸刃のテンションを調整可能なテンション調整機構を備えた携帯用バンドソーにおいて、その使用状態におけるテンション調整機構の動作不良を防止することである。
【課題を解決するための手段】
【０００６】
本発明は、上記の目的を達成するためのものであって、以下のように構成されている。請求項１に記載の発明は、無端帯状の帯鋸刃のテンションを調整可能なテンション調整機構を備えた携帯用バンドソーである。一対のホイール支持部のそれぞれに、互いに平行となるようにホイール支持軸を設けている。一方のホイール支持部は、双方のホイール支持軸に直交する直線の方向に可動である。ホイール支持部の、一の端部に第一支持部を設け、他の端部に第二支持部を設けている。第一支持部と第二支持部の間に中間支持部を設けている。第二支持部と中間支持部はホイール支持軸に平行であり、かつ、互いに反対の方向に荷重がかかるようになっている。
【０００７】
請求項１の発明によれば、携帯用バンドソーの使用状態において、第二支持部と中間支持部によってホイール支持部に生じる回転方向と反対方向の回転力を必要最小限の構造で生じさせることができ、発生する曲げ力も単純で変形も単純な形状ですむためテンション調整機構に動作不良が生じることがない。また、中間支持部を集中荷重とする両端自由端の梁に似た荷重バランスになることより、中間支持部に最大曲げモーメントを生じさせる一方、両端の曲げモーメントはゼロになるように弾性変形するため、両端付近の変形もゼロになり動作不良が生じにくくなる。尚、本発明は塑性変形に対しても効果的である。
【０００８】
請求項２に記載の発明は、請求項１に記載の携帯用バンドソーであって、中間支持部は、第一支持部とホイール支持軸の間に設けられている。
【０００９】
請求項２の発明によれば、回転力を生じさせる箇所の間に中間支持部を設けることにより、この位置が回転中心として機能することになる。さらに、この位置が曲げモーメントが最大の位置でもあるので、最大の曲げが生じる位置を回転中心として機能させるので、曲げ変形による動作不良を抑制することができる。
【００１０】
請求項３に記載の発明は、請求項１〜２のいずれかに記載の携帯用バンドソーであって、中間支持部は、ホイール支持軸方向に見て可動方向に直交する方向に延在し、ホイール支持部に対して線当たりする柱形状となっている。
【００１１】
請求項３の発明によれば、ホイール支持部に対する中間支持部の接触抵抗を抑えることができる。したがって、テンション調整機構の動作不良が生じることをより確実に防止できる。
【００１２】
請求項４に記載の発明は、請求項３に記載の携帯用バンドソーであって、中間支持部は、円柱形状となっている。
【００１３】
請求項４の発明によれば、円柱形状の当接部は鋭利な形状ではないので、より抵抗を抑えることができる。
【００１４】
請求項５に記載の発明は、請求項１〜４のいずれかに記載の携帯用バンドソーであって、第二支持部は、荷重を微調整できる微調整機構を兼ねている。
【００１５】
請求項５の発明によれば、ホイール支持部の傾きの微調整ができるようにすることで、常時ホイール支持部の姿勢を良好に保たれ、安定した切断を可能にすることができる。
【００１６】
請求項６に記載の発明は、請求項５に記載の携帯用バンドソーであって、第二支持部は、ネジになっており、ネジを回転させることで微調整可能になっている。
【００１７】
請求項６の発明によれば、第二支持部において、ホイール支持部の傾きの微調整がしやすい。
【００１８】
請求項７に記載の発明は、請求項１〜６のいずれかに記載の携帯用バンドソーであって、ホイール支持部の近傍には、可動方向の動きを抑えるガイド部材が設けられている。
【００１９】
請求項７の発明によれば、ホイール支持部に対して直角の方向の動きを抑えることができ、コジレなどを防止して円滑な調整を行うことができる。
【００２０】
請求項８に記載の発明は、請求項７に記載の携帯用バンドソーであって、ガイド部材は、ホイール支持部を挟んで対向するリブである。
【００２１】
請求項８の発明によれば、ホイール支持部の可動方向の規制を簡便な構造で実施できる。
【図面の簡単な説明】
【００２２】
【図１】実施形態における携帯用バンドソーの全体左側面図である。
【図２】図１における(II)矢視を示す全体平面図である。
【図３】図１における(III)矢視の全体背面図である。
【図４】閉め状態のカバーをＭ方向に見た全体図である。
【図５】開け状態のカバーをＭ方向に見た全体図である。
【図６】図５において、従動側の鋸車を外した状態（想像線で示した状態）を示しており、帯鋸刃にテンションが作用していない状態の引っ張り荷重調整機構を説明する図である。
【図７】図６のVII−VII線断面図である。
【図８】図６のVIII−VIII線断面図である。
【図９】図６において、帯鋸刃にテンションが作用している状態を説明する図である。
【図１０】図９のＸ−Ｘ線断面図である。
【図１１】図１０におけるスライドプレートの動作を説明する模式図である。
【図１２】従来技術における携帯用バンドソーの従動側の鋸車を外した状態（想像線で示した状態）を示しており、帯鋸刃にテンションが作用していない状態の引っ張り荷重調整機構を説明する図である。
【図１３】図１２のXIII−XIII線断面図である。
【図１４】図１２のXIV−XIV線断面図である。
【図１５】図１２において、帯鋸刃にテンションが作用している状態を説明する図である。
【図１６】図１５のXVI−XVI線断面図である。
【図１７】図１６におけるスライドプレートの動作を説明する模式図である。
【発明を実施するための形態】
【００２３】
本発明の実施の形態について図１〜１１を参照しながら説明する。なお、この種の携帯用バンドソー１０は、図１における図示左側を前側と称し、図示右側を後側と称するのが慣例である。このため、以下の説明でも特に断らない限り、この慣例にしたがい前後の方向を用いている。また、図３に示すように、ハンドル部４０の延在する方向を上下方向にした時に、後方から見て右側を「右」として左側を「左」とする。さらに、電動モータ１１の延在する方向は上下方向と左右方向の中間付近なので、この明細書では電動モータ１１が延びる方向を「Ｍ」として反対方向を「Ｓ」と表す。そして、ＭＳ方向に直交する方向のうち、開口部３０の方向を「Ｌ」として反対方向を「Ｋ」と表す。
【００２４】
図示するように、携帯用バンドソー１０は充電式の持ち運び形のバンドソーである。携帯用バンドソー１０は、電動モータ１１を駆動源として回転する前後一対の鋸車１３、１４と、この前後の鋸車１３、１４を収容する鋸車ハウジング２０と、この前後の鋸車１３，１４間に掛け渡された無端形の帯鋸刃１５とを有している。鋸車ハウジング２０は、前側の鋸車１３を収容支持する前ハウジング部２１と、後側の鋸車１４を収容支持する後ハウジング部２２とを有している。そして、帯鋸刃１５はほとんどの領域でＭＳ方向に平行に延在しているが、開口部３０の領域だけは、ガイド部材によってねじられて、上下方向に平行になっている。
【００２５】
この前側の鋸車１３は、前ハウジング部２１のホイール支持部２１ａであるスライドプレート１１０に形成されたホイール支持軸２１ｂに対してビス１３ａを介して抜け止めされた状態で回転可能に組み付けられている（図５参照）。また、この後側の鋸車１４は、後ハウジング部２２のホイール支持部２２ａに形成されたホイール支持軸２２ｂに対してビス１４ａを介して抜け止めされた状態で回転可能に組み付けられている。ここで、ホイール支持軸２１ｂ、２２ｂは、ＭＳ方向に平行である。この前ハウジング部２１には、後述するレバー１５０側から進出量を調整可能な調整ネジ２１ｇを螺合可能なボス２１ｆが形成されている（図７参照）。これにより、調整ネジ２１ｇを回転させることで、この回転させた調整ネジ２１ｇの先端を後述するスライドプレート１１０の長辺１３０の第二支持部１３１に押し当てることができる。したがって、この長辺１３０をホイール支軸２１ｂの軸方向に揺動させることができるため、前側の鋸車１３の芯出し作業を実施できる。この時、ピン１４０が揺動運動の回転中心（揺動中心）となる。この記載が、特許請求の範囲に記載の「微調整機構」に相当する。電動モータ１１は、後ハウジング部２２のＭ方向の面に取り付けられている。このため、後側の鋸車１４が電動モータ１１により直接回転する駆動輪として機能し、前側の鋸車１３が従動輪として機能する。
【００２６】
駆動輪としての後側の鋸車１４と従動輪としての前側の鋸車１３との間に、板厚方向に可撓性を有する一定幅の帯鋸刃１５が掛け渡されている。また、前ハウジング部２１の上面には、カム部１５１を有するレバー１５０が配置されている。このレバー１５０を一定角度範囲で回動操作することにより、カム部１５１が後述する圧縮ばね１６０を撓ませ、この撓ませた圧縮ばね１６０によってスライドプレート１１０を前側にスライドさせることができる（図９〜１０参照）。そのため、後側の鋸車１４に対する前側の鋸車１３の間隔を調整できる。したがって、両鋸車１３、１４間に掛け渡された帯鋸刃１５のテンションを調整することができ、両鋸車１３、１４に対する帯鋸刃１５の脱着も可能となっている。
【００２７】
前ハウジング部２１と後ハウジング部２２は、そのＫ方向の領域間で結合ハウジング部２３を介して相互に結合されている。結合ハウジング部２３のＬ方向であって、前後のハウジング部２１、２２間にはＭ方向に平面的に見て概ね矩形の開口部３０が設けられている。この開口部３０の前側には第１案内部材３１が取り付けられており、開口部３０の後側には第２案内部材３２が取り付けられている。この開口部３０において帯鋸刃１５が露出されている。駆動輪としての後側の鋸車１４は、図１において反時計回り（左回り）に回転する。このため、帯鋸刃１５は反時計回り方向に周回し、開口部３０において露出された帯鋸刃１５は前側から後側（図１において左側から右側）に向けて移動する。開口部３０における帯鋸刃１５の移動方向を示す矢印２７が前ハウジング部２１の上面に表示されている。以下の説明では、この矢印２７で示した方向を単に帯鋸刃１５の周回方向ともいう。なお、帯鋸切断機１０の前後方向については、この帯鋸刃１５の周回方向とは逆になる。周回する帯鋸刃１５は、押し当てられることにより切断材（図示しない）を切断する。
【００２８】
鋸車ハウジング２０の上部には、使用者が把持するハンドル部４０が設けられている。ハンドル部４０は、後ハウジング部２２の上部から結合ハウジング部２３との間に跨った状態に取り付けられている。ハンドル部４０は、使用者が一方の手で把持するメイングリップ部４１と、他方の手で把持するサブグリップ部４２とを有している。メイングリップ部４１は、開口部３０における切断部位（切断材に対する帯鋸刃１５の切り込み部位）よりも後側（帯鋸刃１５の周回方向前側）において、後ハウジング部２２の右側部から前方かつ上方へ山形に延びており、先端部側（前端部側）は下方へ下っている。
【００２９】
図１に示すようにメイングリップ部４１のハンドル軸線Ｊ４１（図１や図４参照）は、後側から前側に向けて上傾方向に傾斜している。メイングリップ部４１を把持した使用者はハンドル軸線Ｊ４１にほぼ直行する方向に押し付け力（切断材に対する帯鋸刃１５の切断力）を作用させる。使用者の手の押し付け力が作用する方向に、切断材に対する帯鋸刃１５の切り込み部位（切断部位）が位置するよう、メイングリップ部４１の位置及び向きが適切に設定されている。これにより、メイングリップ部４１を把持した使用者の手による押し付け力が切断部位に効率よく加わり、使用者の手首に掛る負担を低減しつつ楽な姿勢で切断作業を迅速に行うことができるようになっている。
【００３０】
メイングリップ部４１の先端部は、ハンドルベース４３に結合されている。メイングリップ部４１の下面側に、当該メイングリップ部４１を把持した手の指先で引き操作するスイッチレバー４４が設けられている。このスイッチレバー４４を指先で上方へ引き操作すると電動モータ１１が起動して帯鋸刃１５が周回することとなる。また、ハンドルベース４３は、結合ハウジング部２３の上面にねじ止めされている。このハンドルベース４３からさらに前方斜め上方に向けてサブグリップ部４２が延びている。一方の手でメイングリップ部４１を把持し、他方の手でこのサブグリップ部４２を把持することにより、当該帯鋸切断機１０を安定した姿勢に保持して切断作業を迅速かつ楽に行うことができる。
【００３１】
ハンドルベース４３の上面には、照明具４５が配置されている。この照明具４５によって、開口部３０に露出された帯鋸刃１５の切断材に対する切断部位周辺が明るく照らし出される。これにより、暗所等での切断作業の便宜が図られている。照明具４５にはＬＥＤ（発光ダイオード）が用いられている。この照明具４５も、電動モータ１１と同様に、バッテリパック１９を電源としている。また、図２等に示すように、ハンドルベース４３の右側部には、フック４６が取り付けられている。このフック４６によって、当該携帯用バンドソー１０は、例えば作業現場の足場等に引っ掛けておくことができる。
【００３２】
メイングリップ部４１の後端部には、バッテリ取付け部４７が設けられている。このバッテリ取付け部４７にはバッテリパック１９が装着されている（図３参照）。このバッテリパック１９は、バッテリケース内に複数本のセルを収容したリチウムイオンバッテリで構成される。このバッテリパック１９は、スライド式にてバッテリ取付け部４７に着脱される。このバッテリパック１９は、充電が少なくなるとバッテリ取付け部４７から取り外されて別途用意した専用充電器にて充電される。バッテリ取付け部４７には、オートストップコントローラ（ＡＳコントローラ）４８が内装されている。このＡＳコントローラ４８により、バッテリパック１９の供給電流や残量等を含む電源供給状態が監視されており、これに異常が発生した場合には電源回路が遮断されて電動モータ１１が自動的に停止される（オートストップ機能）。
【００３３】
鋸車ハウジング２０には、一対の鋸車１３，１４を覆うカバー５０が設けられている。カバー５０は、前ハウジング部２１および後ハウジング部２２を覆うように設定されるカバー体５１を有する。カバー体５１は、前ハウジング部２１と対面する前カバー部５３と、後ハウジング部２２と対面する後カバー部５４と、前カバー部５３と後カバー部５４とを一体に連接する連接部５５とを有する。カバー体５１は、鋸車ハウジング２０に対して、Ｋ側縁となる結合側端縁５６がヒンジ結合されている。具体的には、カバー体５１の結合側端縁５６の前後のそれぞれには軸受部５７が設けられている。この軸受部５７には、支持軸３７が差し込まれている。この支持軸３７は、鋸車ハウジング２０の結合側端縁３５に設けられる軸支持部３６に支持されている。つまり、カバー体５１は、支持軸３７を回転軸として軸受部５７を含んで回転可能にされ、支持軸３７を介して鋸車ハウジング２０に支持されるものとなっている。
【００３４】
前カバー部５３と後カバー部５４とは、前後中間軸線Ｊ５０を対称軸にして前後で略対称な形状を有して形成される。連接部５５は、前カバー部５３と後カバー部５４とを一体に連接する。連接部５５は、開口部３０を設けるように結合側端縁３５を延在させて設定される。この連接部５５の開口部３０を設ける形状により、切断材に対する帯鋸刃１５の切り込み部位（切断部位）は設定される。ここで、前カバー部５３と後カバー部５４とは、前後中間軸線Ｊ５０を対称軸にして、前後で略対称な形状に設定される対向平面部６０と周囲傾斜部６５とを一体に有する。前後で略対称の形状となる対向平面部６０と周囲傾斜部６５とを説明するにあたっては、前カバー部５３を代表して説明する。
【００３５】
対向平面部６０は、鋸車１３（１４）に対面される平面形状を有し、その平面は前後方向とＫＬ方向で規定される。対向平面部６０には、図４にてＭ方向に見た場合に周方向に沿って描かれる面条部６１が設けられている。面条部６１は、対向平面部６０よりも鋸車１３（１４）側に一段近づけられる段差形状を有する。これに対し、周囲傾斜部６５は、対向平面部６０の外周に設けられている。この周囲傾斜部６５は、外周端に向かうにしたがって鋸車ハウジング２０の外周に近づけられる傾斜面形状にて形成されている。
【００３６】
ところで、鋸車ハウジング２０とカバー体５１との間には、カバー５０の閉位置を保持する係止機構７０が設けられている。この係止機構７０は、対をなす前係止機構７１と後係止機構８１とを有する。前係止機構７１は前ハウジング部２１と前カバー部５３との間で設けられており、後係止機構８１は後ハウジング部２２と後カバー部５４との間で設けられている。これらの前係止機構７１と後係止機構８１とは、帯鋸刃１５の周回範囲より内周側に位置される鋸車ハウジング２０およびカバー体５１に設けられている。これらの前係止機構７１と後係止機構８１とも前後中間軸線Ｊ５０を対称軸にして前後で略対称な形状を有して形成される。
【００３７】
このような携帯用バンドソー１０には、無端帯状の帯鋸刃１５に対してテンションを作用させるためのスライドプレート１１０を備えたテンション調整機構１００が備えられている（図６〜８参照）。ここで、このテンション調整機構１００について詳述する。このテンション調整機構１００には、短辺１２０と長辺１３０とから成るＫ方向から見た図において略Ｌ字状のスライドプレート１１０が設けられている。この短辺１２０の先端には、圧縮ばね１６０の端部が掛け留めされた第一支持部１２１が設けられている。また、この長辺１３０の先端には、スライドプレート１１０の反力を受ける第二支持部１３１が当接している。この第二支持部１３１は、調整ネジ２１ｇにより構成されており、支持機構のほか、上述した「微調整機構」を兼ねている。また、この長辺１３０の表面１３０ａには、ホイール支持軸２１ｂが形成されている。
【００３８】
このとき、このスライドプレート１１０の短辺１２０とレバー１５０のカム部１５１との間には、圧縮ばね１６０が掛け留めされている。そのため、このレバー１５０を回動させると、カム部１５１が撓ませた圧縮ばね１６０によってスライドプレート１１０を外方（前側）へ向けて付勢された状態でスライドさせることができる（図９〜１０参照）。この前ハウジング部２１には、スライドプレート１１０の長辺１３０の後側のＫＬ方向の縁を挟み込むように対向するリブ２１ｄが形成されている（図６〜７参照）。スライドプレート１１０の長辺１３０の面直方向から見た形状は前後に平行であり、リブ２１も同じ方向に平行である。また、スライドプレート１１０の長辺１３０とリブ２１ｄの間には、スライド動作を阻害しない程度のわずかなスキマがある。これにより、スライドプレート１１０のスライド方向が前後方向となるように規制できる。また、この前ハウジング部２１には、スライドプレート１１０の長辺１３０の前側のＫＬ方向の縁を挟み込むように対向するボス２１ｅがＭ方向から見た図において略Ｕ字状に形成されている。この各ボス２１ｅには、前ハウジング部２１に対してスライドプレート１１０の長辺１３０を挟み込む円柱形状のピン１４０の両端をネジ頭１４１ａで抑えたビス１４１が螺合されている。
【００３９】
このようにピン１４０が前ハウジング部２１に対してスライドプレート１１０の長辺１３０を挟み込むため、この長辺１３０に対してピン１４０が線接触することとなる。また、線接触する部分も円柱形状、すなわち曲面形状であり、鋭利になっているわけではないので、スライドプレート１１０の平面に食い込むことはない。したがって、このスライドプレート１１０がスライドするとき、このピン１４０が抵抗になりにくい。なお、図６〜７からも明らかなように、このピン１４０は、第一支持部１２１とホイール支持軸２１ｂの間に設けられている。また、このピン１４０は、平面視でスライド方向に直交する方向に延在し、スライドプレート１１０の長辺１３０に対して線当たりする円柱形状となっている。このピン１４０が、特許請求の範囲に記載の「中間支持部」に相当する。テンション調整機構１００は、このように構成されている。
【００４０】
続いて、上述したテンション調整機構１００の作用を説明する（図１１参照）。このテンション調整機構１００のスライドプレート１１０は、回動させたレバー１５０のカム部１５１によって撓ませられた圧縮ばね１６０によって外方（前側）へ向けて付勢された状態で固定されている。
【００４１】
なお、この携帯用バンドソー１０の使用状態において、帯鋸刃１５から受ける力と圧縮ばね１６０から受ける力は、大きさは同一であり、方向は反対であるため、前後方向に釣り合う。しかし、ホイール支持軸２１ｂの軸方向にずれているため、ホイール支持部２１ａに回転力が生じる。しかし、第二支持部１３１と中間支持部１４０によってホイール支持部２１ａに生じる回転方向と反対方向の回転力が生じているため、実際には回転せず釣り合っている。そして、調整ネジ２１ｇの先端とピン１４０の側面の双方を支持部としているため、必要最小限の構造で回転力を抑える力を生じさせることができる。さらに、スライドプレート１１０に発生する曲げ力も単純であり変形も単純な形状ですむためテンション調整機構１００に動作不良が生じることがない。また、短辺１２０が圧縮ばね１６０から受ける力について、撓みやガタツキから軸方向の成分が発生し、これと調整ネジ２１ｇを両端の支持部１２１、１３１として中間支持部１４０を集中荷重とする両端が自由端の梁に似た荷重バランスになることより、中間支持部１４０に最大曲げモーメントを生じさせる一方、両端の曲げモーメントはゼロになる。したがって、中間支持部１４０の曲げ変形は最大だが両端に向かうにしたがって徐々に変形量は小さくなり、両端付近の変形はゼロになる。結果として、この構造によって動作不良が生じにくくなる。なお、図１１において、Ｆ１は、調整ネジ２１ｇからスライドプレート１１０に作用する反力（荷重）を示している。Ｆ２は、ピン１４０からスライドプレート１１０に作用する反力（荷重）を示している。
【００４２】
本発明の実施形態に係る携帯用バンドソー１０は、上述したように構成されている。この構成によれば、スライドプレート１１０には、従来のような、複雑な曲げ荷重が掛かることとなっていない。したがって、このスライドプレート１１０の戻し動作にコジレが生じるといった動作不良、すなわち、テンション調整機構１００に動作不良が生じることがない。
【００４３】
また、この構成によれば、ピン１４０は、第一支持部１２１とホイール支持軸２１ｂの間に設けられている。そのため、回転力を生じさせる箇所の間に中間支持部１４０を設けることになる。そして、ピン１４０は回転中心（揺動中心）として機能する。さらに、この位置が曲げモーメントが最大の位置でもあるので、最大の曲げが生じる位置を回転中心として機能させるので、曲げ変形による動作不良も抑制することができる。
【００４４】
また、この構成によれば、ピン１４０は、平面視でスライド方向に直交する方向に延在し、スライドプレート１１０の長辺１３０に対して線当たりする柱形状となっている。そのため、スライドプレート１１０の長辺１３０に対するピン１４０の接触抵抗を抑えることができる。したがって、テンション調整機構１００の動作不良が生じることをより確実に防止できる。
【００４５】
また、この構成によれば、円柱形状の当接部は鋭利な形状ではないので、より抵抗を抑えることができる。
【００４６】
また、この構成によれば、第二支持部１３１は、上述した微調整機構を兼ねている。そのため、ホイール支持部の傾きの微調整ができるので、常時ホイール支持部の姿勢を良好に保たれ、安定した切断を可能にすることができる。
【００４７】
また、この構成によれば、第二支持部１３１は、調整ネジ２１ｇになっており、調整ネジ２１ｇを回転させることで、この回転させた調整ネジ２１ｇの先端をスライドプレート１１０の長辺１３０の第二支持部１３１に押し当てることができるように構成されている。そのため、この第二支持部１３１において、スライドプレート１１０に組み付けられている前側の鋸車１３の芯出し作業を簡単に実施できる。
【００４８】
また、この構成によれば、前ハウジング部２１の座部２１ｃには、スライドプレート１１０の長辺１３０の後側の左右の縁を挟み込むように対向するリブ２１ｄが形成されている。そのため、スライドプレート１１０のスライド方向が前後方向となるように規制できる。
【００４９】
また、この構成によれば、リブ２１ｄで規制するため、簡便な構造で規制できる。
【００５０】
なお、本発明の実施形態に係る携帯用バンドソー１０にあっては、上記した実施の形態に限定されるものではなく、次のように適宜個所を変更して構成するようにしてもよい。ピン１４０は、円柱形状に限定されるものでなく、スライドプレート１１０の長辺１３０に対して線当たりするようになっていれば、角柱形状であっても構わない。
【符号の説明】
【００５１】
１０      携帯用バンドソー
１１      電動モータ
１３      鋸車（従動輪）
１４      鋸車（駆動輪）
１５      帯鋸刃
１９      バッテリパック
２０      鋸車ハウジング
２１      前ハウジング部
２１ａ    ホイール支持部
２２      後ハウジング部
２２ａ    ホイール支持部
２３      結合ハウジング部
２７      矢印
３０      開口部
３１      第１案内部材
３２      第２案内部材
３５      結合側端縁
３６      軸支持部
３７      支持軸
４０      ハンドル部
４１      メイングリップ部
４２      サブグリップ部
４３      ハンドルベース
４４      スイッチレバー
４５      照明具
４６      フック
４７      バッテリ取付け部
４８      ＡＳコントローラ
５０      カバー
５１      カバー体
５３      前カバー部
５４      後カバー部
５５      連接部
５６      結合側端縁
５７      軸受部
６０      対向平面部
６１      面条部
６５      周囲傾斜部
７０      係止機構
７１      前係止機構
８１      後係止機構
１００    テンション調整機構
１１０    スライドプレート
１２０    短辺
１２１    第一支持部
１３０    長辺
１３０ａ  表面
１３１    第二支持部
１４０    ピン（中間支持部）
１４１    ビス
１４１ａ  ネジ頭
１５０    レバー
１５１    カム部
１６０    圧縮ばね
Ｊ４１    ハンドル軸線
Ｊ５０    前後中間軸線
【図１】
2020001130.tif 000003
【図２】
2020001130.tif 000004
【図３】
2020001130.tif 000005
【図４】
2020001130.tif 000006
【図５】
2020001130.tif 000007
【図６】
2020001130.tif 000008
【図７】
2020001130.tif 000009
【図８】
2020001130.tif 000010
【図９】
2020001130.tif 000011
【図１０】
2020001130.tif 000012
【図１１】
2020001130.tif 000013
【図１２】
2020001130.tif 000014
【図１３】
2020001130.tif 000015
【図１４】
2020001130.tif 000016
【図１５】
2020001130.tif 000017
【図１６】
2020001130.tif 000018
【図１７】
2020001130.tif 000019